【手続補正書】
【提出日】平成17年3月24日(2005.3.24)
【手続補正１】
【補正対象書類名】明細書
【補正対象項目名】００２５
【補正方法】変更
【補正の内容】
【００２５】
なお、本実施の形態では、プリズムはその稜線に垂直な面での断面形状が略三角形の場合を示したが、形状はこれに限定するものではなく、プリズムの稜線方向が導光板１の厚さ方向であれば特に限定しない。
また、光源２にＬＥＤを使用したが冷陰極ランプ等も用いられる。
【手続補正２】
【補正対象書類名】明細書
【補正対象項目名】００２６
【補正方法】変更
【補正の内容】
【００２６】
実施の形態２．
実施の形態１では導光板の入光面のプリズム形状がその稜線に垂直な面での断面形状が略三角形状の場合を示したが、本実施の形態は、実施の形態１で示した面光源装置において、導光板の入光面のプリズムの２つの斜面のなす角度の適切な範囲について示すものである。
図４は導光板の出射面１ａの法線に対する角度とフラットな入光面での正面輝度を基準とした時の相対輝度Ｂとの関係を示す図、図５、６はプリズムの２つの斜面のなす角度αと正面輝度に対する斜め方向の輝度比との関係を示す図である。
【手続補正３】
【補正対象書類名】明細書
【補正対象項目名】００２７
【補正方法】変更
【補正の内容】
【００２７】
まず、実施の形態１で示した図１の面光源装置で、導光板１の入光面１ｃ形状が、平面の場合と、入光面１ｃに三角形のプリズム列が設けられておりその２つの斜面のなす角度αが６０度、１００度、１２０度、１８０度（フラットな入光面）の場合とでプリズムシートからの出射光の導光板１の入光面１ｃと平行な方向の配光特性を調べた。即ち、導光板１の入光面１ｃ形状が、平面の場合と、入光面１ｃに三角形のプリズム列が設けられておりその２つの斜面のなす角度が６０度、１００度、１２０度、１８０度（フラットな入光面）の各々の場合について、フラットな入光面（α＝１８０度）での正面（θ＝０度）輝度を基準とした時の相対輝度Ｂを調べた。
【手続補正４】
【補正対象書類名】明細書
【補正対象項目名】００３１
【補正方法】変更
【補正の内容】
【００３１】
実施の形態３．
実施の形態１では導光板の入光面のプリズム形状がその稜線に垂直な面での断面形状が略三角形状の場合を示したが、本実施の形態は、略三角形状のうち先端の丸みのあるもので、導光板の入光面のプリズムのピッチｐとその先端の丸みの半径の適切な関係を示すものである。
図７は導光板の入光面のプリズムのピッチｐとその先端の丸みの半径ｒの比ｒ／ｐに対する導光板の入光面と平行な方向の面の法線との角度とプリズムの先端の丸みの半径が０のときの正面輝度を基準とした時の相対輝度Ｂとの関係を示す図、図８はプリズムのピッチｐとその先端の丸みの半径ｒの比ｒ／ｐとプリズムの先端の丸みの半径が０のときの輝度に対する輝度差の比との関係を示す図である。
【手続補正５】
【補正対象書類名】明細書
【補正対象項目名】００３２
【補正方法】変更
【補正の内容】
【００３２】
まず、実施の形態１で示した図１の面光源装置で、導光板１の入光面１ｃのプリズム形状が図２（ｂ）に示す先端の丸みのあるものにおいて、導光板１の入光面１ｃのプリズムのピッチｐとその先端の丸みの半径ｒの比ｒ／ｐが０の場合と、０．２と０．３の場合とでプリズムシートからの出射光の導光板１の入光面１ｃと平行な方向の配光特性を調べた。
即ち、プリズムのピッチｐとその先端の丸みの半径ｒの比ｒ／ｐが０の場合と、０．２と０．３の場合について、導光板１の出射面１ａの法線に対する角度θを変え、ｒ＝０での正面（θ＝０度）輝度を基準とした時の相対輝度Ｂを調べた。
【手続補正６】
【補正対象書類名】明細書
【補正対象項目名】００３４
【補正方法】変更
【補正の内容】
【００３４】
そこで、プリズムのピッチｐとその先端の丸みの半径ｒの比ｒ／ｐが０、０．２と０．３の場合について、プリズムの先端の丸みの半径が０のときの輝度に対する輝度差の比の関係を図８にまとめた。この結果、輝度差の比が２０％（０．２）以内となるのはプリズムのピッチｐとその先端の丸みの半径ｒの比ｒ／ｐが０、０．２と０．３の場合であった。
このように、プリズムのピッチｐとその先端の丸みの半径ｒの比ｒ／ｐは０≦ｒ／ｐ≦０．３の範囲が望ましい。
ここで、プリズムの丸みは、先端にある場合の他に、斜面下側にあってもよく、その両方にあってもよく、図２（ｄ）に示すように両方にある場合は０≦（ｒ１＋ｒ２）／ｐ≦０．３の範囲となる。
【手続補正７】
【補正対象書類名】明細書
【補正対象項目名】００４２
【補正方法】変更
【補正の内容】
【００４２】
即ち、プリズムのピッチｐとそのプリズム１ピッチ内の平坦部の長さＬの比Ｌ／ｐが０の場合と、０．２と０．４の場合について、導光板１の出射面１ａの法線に対する角度θを変え、Ｌ＝０での正面（θ＝０度）輝度を基準とした時の相対輝度Ｂを調べた。
【手続補正８】
【補正対象書類名】明細書
【補正対象項目名】００５０
【補正方法】変更
【補正の内容】
【００５０】
なお、本実施の形態では誘導灯について示したが、表示灯、広告灯等の表示装置にも使用でき、同様な効果をえることができる。
【手続補正９】
【補正対象書類名】明細書
【補正対象項目名】図面の簡単な説明
【補正方法】変更
【補正の内容】
【図面の簡単な説明】
【図１】  本発明の実施の形態１を示す面光源装置の斜視図である。
【図２】  本発明の実施の形態１を示す面光源装置の導光板のプリズム列の断面形状図である。
【図３】  本発明の実施の形態１を示す面光源装置の配光特性の説明図である。
【図４】  本発明の実施の形態２を示す面光源装置の導光板の出射面の法線に対する角度とフラットな入光面での正面輝度を基準とした時の相対輝度Ｂとの関係を示す図である。
【図５】  本発明の実施の形態２を示す面光源装置の導光板のプリズムの２つの斜面のなす角度αと正面輝度に対する斜め方向の輝度比との関係を示す図である。
【図６】  本発明の実施の形態２を示す面光源装置の導光板のプリズムの２つの斜面のなす角度αと正面輝度に対する斜め方向の輝度比との関係を示す図である。
【図７】  本発明の実施の形態３を示す面光源装置の入光面のプリズムのピッチｐとその先端の丸みの半径ｒの比ｒ／ｐに対する導光板の入光面と平行な方向の面の法線との角度とプリズムの先端の丸みの半径が０のときの正面輝度を基準とした時の相対輝度Ｂとの関係を示す図である。
【図８】  本発明の実施の形態３を示す面光源装置のプリズムのピッチｐとその先端の丸みの半径ｒの比ｒ／ｐとプリズムの先端の丸みの半径が０のときの輝度に対する輝度差の比との関係を示す図である。
【図９】  本発明の実施の形態４を示す面光源装置のプリズム列の断面形状が略台形の例を示す図である。
【図１０】  本発明の実施の形態４を示す面光源装置の導光板の入光面のプリズムのピッチｐと平坦部の長さの比Ｌ／ｐに対する導光板の入光面と平行な方向の面の法線との角度と平坦部の長さＬが０のときの正面輝度を基準とした時の相対輝度Ｂとの関係を示す図である。
【図１１】  本発明の実施の形態４を示す面光源装置のプリズムのピッチｐと平坦部Ｌの比Ｌ／ｐと平坦部Ｌが０のときの輝度に対する輝度に対する輝度差の比との関係を示す図である。
【図１２】  本発明の実施の形態５を示す面光源装置の構成図である。
【図１３】  従来の面光源装置の斜視図である。
【図１４】  図１３の断面図である。
【図１５】  従来の面光源装置の断面図である。
【図１６】  従来の面光源装置の配光特性の説明図である。
【符号の説明】
１  導光板、１ａ  出射面、１ｃ  入光面、２  光源部、３  プリズムシート、３ａ  プリズムシートのプリズム列、５、１０  導光板のプリズム列、９  表示板。
【手続補正１０】
【補正対象書類名】図面
【補正対象項目名】全図
【補正方法】変更
【補正の内容】
【図１】
2003288807.tif 000001
【図２】
2003288807.tif 000002
【図３】
2003288807.tif 000003
【図４】
2003288807.tif 000004
【図５】
2003288807.tif 000005
【図６】
2003288807.tif 000006
【図７】
2003288807.tif 000007
【図８】
2003288807.tif 000008
【図９】
2003288807.tif 000009
【図１０】
2003288807.tif 000010
【図１１】
2003288807.tif 000011
【図１２】
2003288807.tif 000012
【図１３】
2003288807.tif 000013
【図１４】
2003288807.tif 000014
【図１５】
2003288807.tif 000015
【図１６】
2003288807.tif 000016